(57)【要約】【課題】透光幕体及び遮光幕体の下端縁が巻取り上限位置又は繰出し下限位置のいずれに達しても、窓側巻取パイプ及び室内側巻取パイプ間の隙間からの光の進入を遮る。【解決手段】支持バー１５の両端に取付けられた一対の支持部材１４の上部かつ窓側に窓側巻取パイプ１６が回転可能に取付けられ、一対の支持部材の下部かつ室内側に室内側巻取パイプ１７が回転可能に取付けられる。窓側巻取パイプに上縁が固定された透光幕体１８が窓側巻取パイプに巻取られ、室内側巻取パイプに上縁が固定された遮光幕体１９が室内側巻取パイプに巻取られる。支持バーがバー本体１５ａとカバー部１５ｂとを有し、カバー部の下端縁が室内側巻取パイプの上面より下方に位置する。窓側巻取パイプと透光幕体の上縁との間に帯状遮光幕体２１が介装され、帯状遮光幕体が窓側巻取パイプ及び室内側巻取パイプ間の隙間からの光の進入を遮る位置まで垂下される。【選択図】図１
2019143364.tif 000002
【特許請求の範囲】
【請求項１】
壁、窓枠又は天井に複数のブラケットを介して取付けられかつ両端に一対の支持部材が取付けられた単一の支持バーと、前記一対の支持部材の上部かつ窓側に回転可能に取付けられた窓側巻取パイプと、前記一対の支持部材の下部かつ室内側に回転可能に取付けられた室内側巻取パイプと、前記窓側巻取パイプに上縁が固定され前記窓側巻取パイプに繰出し可能に巻取られる透光幕体と、前記室内側巻取パイプに上縁が固定され前記室内側巻取パイプに繰出し可能に巻取られる遮光幕体とを備えたロールスクリーンにおいて、
前記支持バーが、前記窓側巻取パイプ及び前記室内側巻取パイプと平行に設けられ前記ブラケットに係止されるバー本体と、このバー本体の室内側の側縁から垂下されたカバー部とを有し、
前記カバー部の下端縁が前記室内側巻取パイプの上面より所定の距離だけ下方に位置するように構成され、
前記窓側巻取パイプと前記透光幕体の上縁との間に帯状遮光幕体が介装され、
前記帯状遮光幕体が前記窓側巻取パイプ及び前記室内側巻取パイプ間の隙間からの光の進入を遮る位置まで垂下された
ことを特徴とするロールスクリーン。
【請求項２】
前記帯状遮光幕体と前記透光幕体とが縫製又は溶着により接合された請求項１記載のロールスクリーン。
【請求項３】
前記帯状遮光幕体の上端が窓側固定部材に縫製又は貼付けにより固定され、この窓側固定部材が前記窓側巻取パイプに取付けられる請求項１記載のロールスクリーン。
【発明の詳細な説明】
【技術分野】
【０００１】
本発明は、２本の巻取パイプを有するロールスクリーンに関する。更に詳しくは、透光幕体の上端が固定された窓側巻取パイプと、遮光幕体の上端が固定された室内側巻取パイプとを有し、これらの巻取パイプ間に隙間が設けられたロールスクリーンに関するものである。
【背景技術】
【０００２】
従来、一対のサイドプレートの間に２つの巻取パイプが配置され、各巻取パイプにスクリーンの一端が巻取り及び繰出し可能に連結されており、上方かつ正面側に配置される一方の巻取パイプに連結されるスクリーンは、正面側から昇降するようになっており、かつその巻取り上限位置において、それぞれの巻取パイプに巻取られたスクリーンの巻取部分同士の間で形成される上下方向の隙間を正面から見て覆い隠すように、その巻取上限位置が設定されたロールスクリーンが開示されている（例えば、特許文献１参照。）。
【０００３】
このように構成されたロールスクリーンでは、一方の巻取パイプに連結されたスクリーンの巻取り上限位置において、そのスクリーンの巻取パイプに巻取られていないスクリーン部分が、上記隙間を覆い隠すため、この隙間からの光漏れを防止できる。また、一方の巻取パイプに連結されたスクリーンを、正面側から昇降するように巻取パイプに巻取り及び繰出し可能に連結すると、スクリーンの巻取り上限位置において、そのスクリーンの巻取パイプに巻取られていないスクリーン部分が、よりバランス的な役目を果たして、意匠性をより良好にすることができる。
【先行技術文献】
【特許文献】
【０００４】
【特許文献１】特許第３７６５９９６号公報（請求項１、段落［０００８］、図１、図２）
【発明の概要】
【発明が解決しようとする課題】
【０００５】
しかし、上記従来の特許文献１に示されたロールスクリーンでは、一方の巻取パイプに連結されたスクリーンをその巻取り上限位置まで巻取っても、そのスクリーンの巻取パイプからの展開長さ（垂れ下がり長さ）が比較的長いため、見栄えを損なうとともに、スクリーンの下縁に設けられたウエイトバーが他方の巻取パイプの下面より下方に位置するため、窓の最大開口面積を狭めてしまう不具合があった。
【０００６】
本発明の目的は、透光幕体及び遮光幕体の下端縁が巻取り上限位置又は繰出し下限位置のいずれに達しても、窓側巻取パイプ及び室内側巻取パイプ間の隙間からの光の進入を遮ることができるとともに、透光幕体及び遮光幕体の下端縁が巻取り上限位置に達したときの透光幕体及び遮光幕体の見栄えを損なわず、かつ窓の最大開口面積を狭めることがない、ロールスクリーンを提供することにある。
【課題を解決するための手段】
【０００７】
本発明の第１の観点は、図１及び図３に示すように、壁１１、窓枠又は天井に複数のブラケット１２を介して取付けられかつ両端に一対の支持部材１３，１４が取付けられた単一の支持バー１５と、一対の支持部材１３，１４の上部かつ窓側に回転可能に取付けられた窓側巻取パイプ１６と、一対の支持部材１３，１４の下部かつ室内側に回転可能に取付けられた室内側巻取パイプ１７と、窓側巻取パイプ１６に上縁が固定され窓側巻取パイプ１６に繰出し可能に巻取られる透光幕体１８と、室内側巻取パイプ１７に上縁が固定され室内側巻取パイプ１７に繰出し可能に巻取られる遮光幕体１９とを備えたロールスクリーン１０において、支持バー１５が、窓側巻取パイプ１６及び室内側巻取パイプ１７と平行に設けられブラケット１２に係止されるバー本体１５ａと、このバー本体１５ａの室内側の側縁から垂下されたカバー部１５ｂとを有し、カバー部１５ｂの下端縁が室内側巻取パイプ１７の上面より所定の距離だけ下方に位置するように構成され、窓側巻取パイプ１６と透光幕体１８の上縁との間に帯状遮光幕体２１が介装され、帯状遮光幕体２１が窓側巻取パイプ１６及び室内側巻取パイプ１７間の隙間からの光の進入を遮る位置まで垂下されたことを特徴とする。
【０００８】
本発明の第２の観点は、第１の観点に基づく発明であって、更に図１に示すように、帯状遮光幕体２１と透光幕体１８とが縫製又は溶着により接合されたことを特徴とする。
【０００９】
本発明の第３の観点は、第１の観点に基づく発明であって、更に図１に示すように、帯状遮光幕体２１の上端が窓側固定部材１６ｂに縫製又は貼付けにより固定され、この窓側固定部材１６ｂが窓側巻取パイプ１６に取付けられることを特徴とする。
【発明の効果】
【００１０】
本発明の第１の観点のロールスクリーンでは、バー本体の室内側の側縁からカバー部を垂下し、カバー部の下端縁が室内側巻取パイプの上面より所定の距離だけ下方に位置するように構成したので、透光幕体及び遮光幕体を窓側巻取パイプ及び室内側巻取パイプにそれぞれ巻取って、透光幕体及び遮光幕体の下端縁が巻取り上限位置に達したときに、室外の直射光が窓側巻取パイプ及び室内側巻取パイプ間の隙間を通って室内に進入しようとしても、この直射光はカバー部により遮られる。また、窓側巻取パイプと透光幕体の上縁との間に帯状遮光幕体を介装し、窓側巻取パイプ及び室内側巻取パイプ間の隙間からの光の進入を遮る位置まで帯状遮光幕体を垂下したので、透光幕体及び遮光幕体を窓側巻取パイプ及び室内側巻取パイプからそれぞれ繰出して、透光幕体及び遮光幕体の下端縁が繰出し下限位置に達したときに、室外の直射光が窓側巻取パイプ及び室内側巻取パイプ間を通って室内に進入しようとしても、この直射光は帯状遮光幕体により遮られるとともに、帯状遮光幕体の下方の透光幕体を通った間接光は窓側巻取パイプ及び室内側巻取パイプ間を通ってカバー部の内面上部に照射され、室内への光漏れは極めて少ない。この結果、透光幕体及び遮光幕体が巻取り上限位置又は繰出し下限位置のいずれに達しても、窓側巻取パイプ及び室内側巻取パイプ間の隙間からの光の進入を遮ることができる。更に、透光幕体及び遮光幕体が巻取り上限位置に達したとき、透光幕体の下端縁がバー本体の窓側の側縁近傍まで窓側巻取パイプに巻取られ、遮光幕体の下端縁がカバー部の下端縁近傍まで室内側巻取パイプに巻取られるため、透光幕体及び遮光幕体の見栄えを損なわず、かつ窓の最大開口面積を狭めずに済む。
【００１１】
本発明の第２の観点のロールスクリーンでは、帯状遮光幕体と透光幕体とを縫製又は溶着により接合したので、比較的少ない工数の増加で、透光幕体及び遮光幕体が巻取り上限位置又は繰出し下限位置のいずれに達しても、窓側巻取パイプ及び室内側巻取パイプ間の隙間からの光の進入を遮ることができるロールスクリーンが得られる。
【００１２】
本発明の第３の観点のロールスクリーンでは、帯状遮光幕体の上端を窓側固定部材に縫製又は貼付けにより固定し、この窓側固定部材を窓側巻取パイプに取付けたので、従来と略同一の工数で、帯状遮光幕体を窓側巻取パイプに取付けることができる。
【図面の簡単な説明】
【００１３】
【図１】本発明実施形態のロールスクリーンの透光幕体及び遮光幕体が繰出し下限位置に達した状態を示す図３のＡ−Ａ線断面図である。
【図２】そのロールスクリーンの透光幕体及び遮光幕体が巻取り上限位置に達した状態を示す図１に対応する断面図である。
【図３】そのロールスクリーンの透光幕体及び遮光幕体が繰出し下限位置に達した状態を示す正面図である。
【発明を実施するための形態】
【００１４】
次に本発明を実施するための形態を図面に基づいて説明する。図１及び図３に示すように、ロールスクリーン１０は、壁１１に２つのブラケット１２，１２を介して取付けられかつ両端に一対の支持部材１３，１４が取付けられた単一の支持バー１５と、一対の支持部材１３，１４の上部かつ窓側に回転可能に取付けられた窓側巻取パイプ１６と、一対の支持部材１３，１４の下部かつ室内側に回転可能に取付けられた室内側巻取パイプ１７と、窓側巻取パイプ１６に上縁が固定された透光幕体１８と、室内側巻取パイプ１７に上端が固定された遮光幕体１９とを備える。ブラケット１２は、図１に詳しく示すように、略Ｌ字状に形成された壁取付部１２ａと、この壁取付部１２ａの突出端下面に取付けられたバー保持部１２ｂとを有する。バー保持部１２ｂには室内側から窓側の方向に所定の間隔をあけて一対の被係止部１２ｃ,１２ｃが形成される。これらの被係止部１２ｃ，１２ｃは互いに近付く方向に図示しないばねにより付勢される。上記一対の被係止部１２ｃ，１２ｃは、この実施の形態では、互いに向き合う爪状にそれぞれ形成される。
【００１５】
支持バー１５は、窓側巻取パイプ１６及び室内側巻取パイプ１７と平行に設けられ上記一対の被係止部１２ｃ，１２ｃに係止可能な一対の係止部１５ｃ，１５ｃが形成されたバー本体１５ａと、このバー本体１５ａの室内側の側縁から垂下されたカバー部１５ｂとを有する（図１及び図２）。上記一対の係止部１５ｃ，１５ｃは室内側から窓側の方向に所定の間隔をあけて形成される。また、上記一対の係止部１５ｃ，１５ｃは、この実施の形態では、互いに反対方向を向く凹溝状に形成される。更に、カバー部１５ｂの下端縁は、室内側巻取パイプ１７の上面より所定の距離だけ下方に位置するように構成される。具体的には、カバー部１５ｂの下端縁は、室内側巻取パイプ１７の上面より１〜３ｍｍだけ下方に位置するように構成される。
【００１６】
一方、透光幕体１８は、光を透過可能な幕体であり、透明及び半透明の双方を含むものであり、生地の組成や編成を粗にすることにより通風も可能に形成される。上記透光幕体１８は光透過率４０〜９５％、好ましくは６０〜９５％のメッシュ状生地により形成される。ここで、透光幕体１８の光透過率を４０〜９５％の範囲内に限定したのは、４０％未満では所望の採光量が得られず、９５％を超えると透光幕体１８の強度が低下してしまうからである。遮光幕体１９は、光を透過不能な幕体であり、生地にアルミ等からなる金属箔を貼り付けることや、繊維の密度を上げることにより作られる。また、窓側巻取パイプ１６の外周面には、窓側巻取パイプ１６の長手方向にこの窓側巻取パイプ１６の全長にわたって延びる窓側凹条１６ａが形成され、この窓側凹条１６ａには窓側固定部材１６ｂが挿入される。室内側巻取パイプ１７の外周面には、室内側巻取パイプ１７の長手方向にこの室内側巻取パイプ１７の全長にわたって延びる室内側凹条１７ａが形成され、この室内側凹条１７ａには室内側固定部材１７ｂが挿入される。更に、透光幕体１８の上端は窓側固定部材１６ｂに縫製又は両面粘着テープ等を用いた貼付け（図示せず）により固定され、遮光幕体１９の上端は室内側固定部材１７ｂに縫製又は両面粘着テープ等を用いた貼付け（図示せず）により固定される。
【００１７】
窓側巻取パイプ１６と透光幕体１８の上縁との間には帯状遮光幕体２１が介装される。この帯状遮光幕体２１は、上記遮光幕体１９と同一の生地により形成することができ、帯状遮光幕体２１と透光幕体１８とは縫製又は溶着により接合されることが好ましい。また、帯状透光幕体２１の上端は窓側固定部材１６ｂに縫製又は両面粘着テープ等を用いた貼付け（図示せず）により固定されることが好ましい。そして、この窓側固定部材１６ｂを窓側巻取パイプ１６の窓側凹条１６ａに挿入することにより、従来と略同一の工数で、帯状遮光幕体２１を窓側巻取パイプ１６に取付けることができる。更に、帯状遮光幕体２１は、窓側巻取パイプ１６及び室内側巻取パイプ１７間の隙間からの光の進入を遮る位置まで、即ち上記隙間を覆う位置まで垂下される。具体的には、帯状遮光幕体２１の下端縁が、遮光幕体１９が繰出し下限位置に達した状態の室内側巻取パイプ１７の上面に接する水平面と、室内側巻取パイプ１７の中心軸を含む水平面との間の略中間に位置するように構成される。
【００１８】
一方、窓側巻取パイプ１６及び室内側巻取パイプ１７は互いに平行に配置され、窓側巻取パイプ１６は室内側巻取パイプ１７に対して窓側にオフセットして設けられる（図１及び図２）。また、窓側巻取パイプ１６及び室内側巻取パイプ１７には、窓側巻取ばね２２及び室内側巻取ばね２３がそれぞれ内蔵され、窓側巻取パイプ１６及び室内側巻取パイプ１７は単一の操作部材２４により正転又は逆転するように構成される（図３）。上記窓側巻取ばね２２及び室内側巻取ばね２３には透光幕体１８及び遮光幕体１９を窓側巻取パイプ１６及び室内側巻取パイプ１７に巻取る方向に窓側巻取パイプ１６及び室内側巻取パイプ１７を回転させるための付勢力がそれぞれ蓄えられる。また、単一の操作部材２４は、この実施の形態では、単一のリング状の操作チェーンであり、この操作チェーン２４は、透光幕体１８及び遮光幕体１９をそれぞれ繰出し又は巻取るために操作される。
【００１９】
透光幕体１８及び遮光幕体１９の下端には、窓側ウエイトバー２６及び室内側ウエイトバー２７がそれぞれ取付けられる。窓側ウエイトバー２６は、透光幕体１８が窓側巻取パイプ１６に巻取られていくと、バー本体１５ａの窓側の側縁に当接し、室内側ウエイトバー２７は、遮光幕体１９が室内側巻取パイプ１７に巻取られていくと、カバー部１５ｂの下端縁に当接するように構成される。また、バー本体１５ａの窓側の側縁には、窓側ウエイトバー２６が当接可能なゴム製又は軟質プラスチック製の窓側クッションバー２８が取付けられ（図１及び図２）、カバー部１５ｂの下端縁には、室内側ウエイトバー２７が当接可能なゴム製又は軟質プラスチック製の室内側クッションバー２９が取付けられる。窓側クッションバー２８は、バー本体１５ａの窓側の側縁に沿うように延びて設けられ、バー本体１５ａの窓側の側縁内面に取付けられる窓側取付部２８ａと、この窓側取付部２８ａと一体的に設けられバー本体１５ａの窓側の側縁下面に当接する弾性変形可能な窓側筒状部２８ｂとを有する。この窓側クッションバー２８の窓側筒状部２８ｂには、窓側ウエイトバー２６が当接可能に構成される（図２）。更に、室内側クッションバー２９はカバー部１５ｂの下端縁に沿うように延びて設けられ、カバー部１５ｂの下端縁内面に取付けられる室内側取付部２９ａと、この室内側取付部２９ａと一体的に設けられカバー部１５ｂの下端縁下面に当接する弾性変形可能な室内側筒状部２９ｂとを有する。この室内側クッションバー２９の室内側筒状部２９ｂには、室内側ウエイトバー２７が当接可能に構成される。なお、バー本体１５ａの窓側の側縁と、透光幕体１８の殆ど全てが窓側巻取パイプ１６に巻取られたときの窓側巻取パイプ１６の外周面との隙間は、窓側ウエイトバー２６の外径より小さく形成される。また、カバー部１５ｂの下端縁と、遮光幕体１９の殆ど全てが室内側巻取パイプ１７に巻取られたときの室内側巻取パイプ１７の外周面との隙間は、室内側ウエイトバー２７の外径より小さく形成される。
【００２０】
一方、ロールスクリーン１０は、操作チェーン２４と窓側巻取パイプ１６との間に設けられた窓側回転伝達切換装置３１と、操作チェーン２４と室内側巻取パイプ１７との間に設けられた室内側回転伝達切換装置３２と、操作チェーン２４が巻き掛けられる単一のプーリ（図示せず）と、プーリと窓側回転伝達切換装置３１及び室内側回転伝達切換装置３２との間に設けられた歯車列（図示せず）とを更に備える（図３）。上記歯車列により、操作チェーン２４の操作力がプーリから窓側回転伝達切換装置３１及び室内側回転伝達切換装置３２に伝達されるようになっている。また、上記歯車列は歯車ケース３３に回転可能にそれぞれ収容され、この歯車ケース３３にビス（図示せず）により取付けられたプーリカバー３４に上記プーリが収容される。そして歯車ケース３３及びプーリカバー３４により一方の支持部材１３が構成される。
【００２１】
窓側回転伝達切換装置３１は、操作チェーン２４の室内側の操作部を引下げ操作したときにこの操作力を窓側巻取パイプ１６に伝達しかつ操作チェーン２４の窓側の操作部を引下げ操作したときにこの操作力を窓側巻取パイプ１６に伝達しないクラッチ機能と、操作チェーン２４の室内側の操作部の引下げ操作を停止することにより窓側巻取パイプ１６をその位置に一時的に固定するロック機能と、操作チェーン２４の室内側の操作部を僅かに引下げ操作することにより上記一時的な固定を解除するロック解除機能とを有する（図３）。また、室内側回転伝達切換装置３２は、操作チェーン２４の窓側の操作部を引下げ操作したときにこの操作力を室内側巻取パイプ１７に伝達しかつ操作チェーン２４の室内側の操作部を引下げ操作したときにこの操作力を室内側巻取パイプ１７に伝達しないクラッチ機能と、操作チェーン２４の窓側の操作部の引下げ操作を停止することにより室内側巻取パイプ１７をその位置に一時的に固定するロック機能と、操作チェーン２４の窓側の操作部を引下げ操作することにより上記一時的な固定を解除するロック解除機能とを有する。
【００２２】
このように構成されたロールスクリーン１０の動作を説明する。図１〜図３に示すように、操作チェーン２４の室内側の操作部を引下げ操作すると、この操作力は、プーリ及び歯車列を介して窓側回転伝達切換装置３１に伝達される。そして、窓側回転伝達切換装置３１において、歯車列の回転力は窓側筒状部２８ｂを介して窓側巻取パイプ１６に伝達され、透光幕体１８が窓側巻取パイプ１６から繰出される。このように操作チェーン２４の室内側の操作部を引下げ操作すると、この操作力は室内側回転伝達切換装置３２に伝達されるけれども、室内側回転伝達切換装置３２のクラッチ機能により、室内側巻取パイプ１７には伝達されない。そして、透光幕体１８が繰出し下限位置に達して、操作チェーン２４の引下げ操作を停止すると、窓側回転伝達切換装置３１のロック機能により透光幕体１８がその位置で一時的に固定される。一方、操作チェーン２４の窓側の操作部を引下げ操作すると、この操作力は、プーリ及び歯車列を介して室内側回転伝達切換装置３２に伝達される。そして、室内側回転伝達切換装置３２において、歯車列の回転力は室内側筒状部２９ｂを介して室内側巻取パイプ１７に伝達され、遮光幕体１９が室内側巻取パイプ１７から繰出される。このように操作チェーン２４の室内側の操作部を引下げ操作すると、この操作力は窓側回転伝達切換装置３１に伝達されるけれども、窓側回転伝達切換装置３１のクラッチ機能により、窓側巻取パイプ１６には伝達されない。そして、遮光幕体１９が繰出し下限位置に達して、操作チェーン２４の引下げ操作を停止すると、室内側回転伝達切換装置３２のロック機能により遮光幕体１９がその位置で一時的に固定される。このように透光幕体１８及び遮光幕体１９がそれぞれ繰出し下限位置に達すると、窓側巻取パイプ１６と透光幕体１８の上縁との間に介装された帯状遮光幕体２１が窓側巻取パイプ１６及び室内側巻取パイプ１７間の隙間からの光の進入を遮る位置まで垂下するので、室外の直射光が窓側巻取パイプ１６及び室内側巻取パイプ１７間を通って室内に進入しようとしても、この直射光は帯状遮光幕体２１により遮られるとともに、帯状遮光幕体２１の下方の透光幕体１８を通った間接光は窓側巻取パイプ１６及び室内側巻取パイプ１７間を通ってカバー部１５ｂの内面上部に照射され、室内への光漏れは極めて少ない。
【００２３】
次に、操作チェーン２４の室内側の操作部を僅かに引下げ操作した後に操作チェーン２４から手を放すと、窓側回転伝達切換装置３１のロック機能がロック解除機能により解除されて、窓側巻取ばね２２に蓄えられた付勢力により窓側巻取パイプ１６を透光幕体１８の巻取り方向に回転させる。そして、透光幕体１８は窓側巻取ばね２２の付勢力により窓側巻取パイプ１６に巻取られ続け、窓側ウエイトバー２６がバー本体１５ａの窓側の側縁に窓側クッションバー２８の窓側筒状部２８ｂを介し当接して停止する。これにより、窓側クッションバー２８の窓側筒状部２８ｂが弾性変形して上記当接時の衝撃を吸収できるとともに、その衝撃音を吸収して低減できる。ここで、透光幕体１８の巻取り時に操作チェーン２４は停止した状態に保たれる。一方、操作チェーン２４の窓側の操作部を僅かに引下げ操作した後に操作チェーン２４から手を放すと、室内側回転伝達切換装置３２のロック機能がロック解除機能により解除されて、室内側巻取ばね２３に蓄えられた付勢力により室内側巻取パイプ１７を遮光幕体１９の巻取り方向に回転させる。そして、遮光幕体１９が室内側巻取ばね２３の付勢力により室内側巻取パイプ１７に巻取られて室内側ウエイトバー２７がカバー部１５ｂの下端縁に室内側クッションバー２９の室内側筒状部２９ｂを介して当接する。これにより、室内側クッションバー２９の室内側筒状部２９ｂが弾性変形して上記当接時の衝撃を吸収できるとともに、その衝撃音を吸収して低減できる。ここで、遮光幕体１９の巻取り時に操作チェーン２４は停止した状態に保たれる。このように透光幕体１８及び遮光幕体１９がそれぞれ巻取り上限位置に達すると、カバー部１５ｂの下端縁が室内側巻取パイプ１７の上面より所定の距離だけ下方に位置するので、室外の直射光が窓側巻取パイプ１６及び室内側巻取パイプ１７間の隙間を通って室内に進入しようとしても、この直射光はカバー部１５ｂにより遮られる。この結果、透光幕体１８及び遮光幕体１９が巻取り上限位置又は繰出し下限位置のいずれに達しても、窓側巻取パイプ１６及び室内側巻取パイプ１７間の隙間からの光の進入を遮ることができる。
【００２４】
一方、透光幕体１８が窓側巻取パイプ１６に巻取られていくと、透光幕体１８の下端縁がバー本体１５ａの窓側の側縁近傍まで上昇し、窓側ウエイトバー２６が窓側クッションバー２８の窓側筒状体２８ｂに当接して、透光幕体１８が巻取り上限位置に達する。また、遮光幕体１９が室内側巻取りパイプ１７に巻取られていくと、遮光幕体１９の下端縁がカバー部１５ｂの下端縁近傍まで上昇し、室内側ウエイトバー２７が室内側クッションバー２９の室内側筒状体２９ｂに当接して、遮光幕体１９が巻取り上限位置に達する。この結果、透光幕体１８及び遮光幕体１９がそれぞれ巻取り上限位置に達したときに、透光幕体１８又は遮光幕体１９のいずれか一方又は双方が中途半端に垂れ下がった状態にならないので、透光幕体１８及び遮光幕体１９の巻取り上限位置における見栄えを損なわず、かつ窓の最大開口面積を狭めずに済む。
【００２５】
なお、上記実施の形態では、窓側巻取パイプ及び室内側巻取パイプを正転又は逆転させる操作部材として単一の操作チェーンを挙げたが、透光幕体の下端中央に垂下された窓側プル操作具と、遮光幕体の下端中央に垂下された室内側プル操作具とを有する操作部材であってもよい。この場合、窓側プル操作具は、窓側ウエイトバーの長手方向中央に嵌着され、窓側プル操作具の操作により窓側巻取パイプを正転又は逆転させるように構成され、室内側プル操作具は、室内側ウエイトバーの長手方向中央に嵌着され、室内側プル操作具の操作により室内側巻取パイプを正転又は逆転させるように構成される。また、上記実施の形態では、窓側巻取パイプ及び室内側巻取パイプを、一対の支持部材、支持バー及びブラケットを介して壁に回転可能に取付けたが、窓側巻取パイプ及び室内側巻取パイプを、一対の支持部材、支持バー及びブラケットを介して窓枠又は天井に回転可能に取付けてもよい。
【符号の説明】
【００２６】
１０  ロールスクリーン
１１  壁
１２  ブラケット
１３，１４  支持部材
１５  支持バー
１５ａ  バー本体
１５ｂ  カバー部
１６  窓側巻取パイプ
１６ｂ  窓側固定部材
１７  室内側巻取パイプ
１８  透光幕体
１９  遮光幕体
２１  帯状遮光幕体
【図１】
2019143364.tif 000003
【図２】
2019143364.tif 000004
【図３】
2019143364.tif 000005